(57)【要約】【課題】周波数利用効率と誤り率特性を両立し得るＯＦＤＭ−ＣＤＭＡ方式及びＣＤＭＡ方式の無線送信装置を提供すること。【解決手段】選択部Ｂ１、………、Ｂ５によって送信シンボル毎の多重数を選択する。加算器Ｃ１、………、Ｃ５では、選択部Ｂ１、………、Ｂ５により選択された数の拡散信号が多重される。これにより、符号分割多重信号の伝送時の符号間干渉をシンボル毎に選択できるようになるので、誤り率特性の良し悪しをシンボル毎に選択できるようになる。この結果、多重数を少なくして誤り率特性を良くするシンボルを適宜選択すれば、周波数特性をそれほど落とさずに、誤り率特性を向上させることができるようになる。【選択図】　　　図１
2004088269.tif 000002
【特許請求の範囲】
【請求項１】
送信シンボルを拡散する拡散手段と、各送信シンボル毎に多重数を選択する多重数選択手段と、選択された多重数で各送信シンボルの拡散信号を多重化する多重化手段と、多重化された拡散信号を複数のサブキャリアに振り分ける直交周波数分割多重手段と、を具備することを特徴とするＯＦＤＭ−ＣＤＭＡ送信装置。
【請求項２】
各送信シンボル毎に拡散比を選択して送信シンボルを拡散する拡散手段と、各送信シンボルの拡散信号を多重化する多重化手段と、多重化された拡散信号を複数のサブキャリアに振り分ける直交周波数分割多重手段と、を具備することを特徴とするＯＦＤＭ−ＣＤＭＡ送信装置。
【請求項３】
前記多重数選択手段は、特定の送信シンボルの多重数を他の送信シンボルの多重数よりも少なくする、ことを特徴とする請求項１に記載のＯＦＤＭ−ＣＤＭＡ送信装置。
【請求項４】
前記拡散手段は、特定の送信シンボルの拡散比を他の送信シンボルの拡散比よりも大きくする、ことを特徴とする請求項２に記載のＯＦＤＭ−ＣＤＭＡ送信装置。
【請求項５】
前記多重数を少なくした特定の送信シンボルには、他のデータよりも良好な回線品質が要求されるデータを配置する、ことを特徴とする請求項３に記載のＯＦＤＭ−ＣＤＭＡ送信装置。
【請求項６】
前記拡散比を大きくした特定の送信シンボルには、他のデータよりも良好な回線品質が要求されるデータを配置する、ことを特徴とする請求項４に記載のＯＦＤＭ−ＣＤＭＡ送信装置。
【請求項７】
前記多重数を少なくした特定シンボルを、フレームの先頭に配置する、ことを特徴とする請求項３に記載のＯＦＤＭ−ＣＤＭＡ送信装置。
【請求項８】
前記拡散比を大きくした特定シンボルを、フレームの先頭に配置する、ことを特徴とする請求項４に記載のＯＦＤＭ−ＣＤＭＡ送信装置。
【請求項９】
前記多重数選択手段は、再送回数が多くなるにしたがって、再送シンボルについての多重数を少なくする、ことを特徴とする請求項３に記載のＯＦＤＭ−ＣＤＭＡ送信装置。
【請求項１０】
前記拡散手段は、再送回数が多くなるにしたがって、再送シンボルについての拡散比を大きくする、ことを特徴とする請求項４に記載のＯＦＤＭ−ＣＤＭＡ送信装置。
【請求項１１】
前記多重数を少なくした特定シンボルの変調多値数を他の送信シンボルの変調多値数よりも小さくする、ことを特徴とする請求項３に記載のＯＦＤＭ−ＣＤＭＡ送信装置。
【請求項１２】
前記拡散比を大きくした特定シンボルの変調多値数を他の送信シンボルの変調多値数よりも小さくする、ことを特徴とする請求項４に記載のＯＦＤＭ−ＣＤＭＡ送信装置。
【請求項１３】
前記多重数を少なくした特定シンボルを、周期的に挿入する、ことを特徴とする請求項３に記載のＯＦＤＭ−ＣＤＭＡ送信装置。
【請求項１４】
前記拡散比を大きくした特定シンボルを、周期的に挿入する、ことを特徴とする請求項４に記載のＯＦＤＭ−ＣＤＭＡ送信装置。
【請求項１５】
請求項１３に記載のＯＦＤＭ−ＣＤＭＡ送信装置から送信された信号を受信して復調するＯＦＤＭ−ＣＤＭＡ受信装置であって、前記周期的に挿入した多重数を少なくした特定シンボルを用いて、伝搬路推定結果の更新を行う、ことを特徴とするＯＦＤＭ−ＣＤＭＡ受信装置。
【請求項１６】
請求項１４に記載のＯＦＤＭ−ＣＤＭＡ送信装置から送信された信号を受信して復調するＯＦＤＭ−ＣＤＭＡ受信装置であって、前記周期的に挿入した拡散比を大きくした特定シンボルを用いて、伝搬路推定結果の更新を行う、ことを特徴とするＯＦＤＭ−ＣＤＭＡ受信装置。
【請求項１７】
前記多重数を少なくした特定シンボルの多重数を「１」とする、ことを特徴とする請求項３に記載のＯＦＤＭ−ＣＤＭＡ送信装置。
【請求項１８】
前記拡散手段は、前記多重数が少なくされた特定シンボルの拡散率を「１」とする、ことを特徴とする請求項３に記載のＯＦＤＭ−ＣＤＭＡ送信装置。
【請求項１９】
前記直交周波数分割多重手段は、前記多重数を少なくした又は前記拡散比を大きくした特定シンボルのチップを、時間軸方向にのみ振り分ける、ことを特徴とする請求項１から請求項１４のいずれかに記載のＯＦＤＭ−ＣＤＭＡ送信装置。
【請求項２０】
送信シンボルを拡散する拡散手段と、各送信シンボル毎に多重数を選択する多重数選択手段と、選択された多重数で各送信シンボルの拡散信号を多重化する多重化手段と、を具備することを特徴とするＣＤＭＡ送信装置。
【請求項２１】
各送信シンボル毎に拡散比を選択して送信シンボルを拡散する拡散手段と、各送信シンボルの拡散信号を多重化する多重化手段と、を具備することを特徴とするＣＤＭＡ送信装置。
【請求項２２】
前記多重数選択手段は、特定の送信シンボルの多重数を他の送信シンボルの多重数よりも少なくする、ことを特徴とする請求項２０に記載のＣＤＭＡ送信装置。
【請求項２３】
前記拡散手段は、特定の送信シンボルの拡散比を他の送信シンボルの拡散比よりも大きくする、ことを特徴とする請求項２１に記載のＣＤＭＡ送信装置。
【請求項２４】
前記多重数選択手段は、再送回数が多くなるにしたがって、再送シンボルについての多重数を少なくする、ことを特徴とする請求項２０に記載のＣＤＭＡ送信装置。
【請求項２５】
前記拡散手段は、再送回数が多くなるにしたがって、再送シンボルについての拡散比を大きくする、ことを特徴とする請求項２１に記載のＣＤＭＡ送信装置。
【請求項２６】
特定の送信シンボルの符号分割多重数を他の送信シンボルの符号分割多重するよりも小さくする、ことを特徴とするＯＦＤＭ−ＣＤＭＡ送信方法。
【請求項２７】
特定の送信シンボルの符号分割多重数を他の送信シンボルの符号分割多重するよりも小さくする、ことを特徴とするＣＤＭＡ送信方法。
【請求項２８】
特定の送信シンボルの拡散比を他の送信シンボルの拡散比よりも大きくする、ことを特徴とするＯＦＤＭ−ＣＤＭＡ送信方法。
【請求項２９】
特定の送信シンボルの拡散比を他の送信シンボルの拡散比よりも大きくする、ことを特徴とするＣＤＭＡ送信方法。
【発明の詳細な説明】
【０００１】
【発明の属する技術分野】
本発明は、特に送信シンボルを符号分割多重して送信するＣＤＭＡ（Ｃｏｄｅ　Ｄｉｖｉｓｉｏｎ　Ｍｕｌｔｉｐｌｅ　Ａｃｃｅｓｓ）方式の無線送信装置や、符号分割多重後のチップを互いに直交するサブキャリアに割り当てて送信するＯＦＤＭ−ＣＤＭＡ方式の無線送信装置及び無線送信方法に適用し得る。
【０００２】
【従来の技術】
従来、ＣＤＭＡ方式の無線送信装置やＯＦＤＭ−ＣＤＭＡ方式の無線送信装置においては、送信シンボルを符号分割多重することにより、同一周波数帯域に複数のシンボルを配置して送信する。ここで拡散符号として、互いに直交関係にある拡散符号を用いることにより、受信側では多重された複数のシンボルを分離して復元できるようになされている。
【０００３】
特に、ＯＦＤＭ−ＣＤＭＡ方式では、ＯＦＤＭ変調方式により得られる送信データを高速で伝送できるといった長所と、ＣＤＭＡ変調方式により得られる干渉及び雑音に強いといった長所とを有効に利用することにより、多数の通信端末に高品質の送信データを高速で伝送し得るようになっている。
【０００４】
ＯＦＤＭ方式とＣＤＭＡ方式を組み合わせた通信方式（以下、これをＯＦＤＭ−ＣＤＭＡ方式と呼ぶ）には、大別して、時間領域拡散方式と周波数領域拡散方式とがある。時間領域拡散方式は、拡散符号によってチップ単位に拡散した各拡散データを同一のサブキャリア内で時間方向に配置するものである。一方、周波数領域拡散方式は、チップ単位に拡散した各拡散データを異なるサブキャリアに割り当てて配置するものである。
【０００５】
従来のＯＦＤＭ−ＣＤＭＡ通信装置の構成例を、図１１に示す。まずＯＦＤＭ−ＣＤＭＡ通信装置１の送信系２について説明する。ＯＦＤＭ−ＣＤＭＡ通信装置１は、複数の送信信号１〜ｋ、………、（４ｋ＋１）〜５ｋを、それぞれ異なる拡散符号を用いてチップ単位に拡散する拡散器Ａ１〜Ａ（５ｋ）に入力する。拡散後の信号は加算器Ｃ１〜Ｃ５により加算されることにより符号分割多重された信号が得られる。図１１の場合、各加算器Ｃ１〜Ｃ５では、それぞれｋ個の送信信号に対応する拡散後の信号が多重される。
【０００６】
加算器Ｃ１〜Ｃ５から出力された符号分割多重信号は、パラレルシリアル変換器（Ｐ／Ｓ）４によりパラレルシリアル変換された後、逆高速フーリエ変換回路（ＩＦＦＴ）５により逆高速フーリエ変換されることにより直交周波数分割多重される。これにより拡散後のチップが互いに直交関係にある複数サブキャリアに振り分けられたＯＦＤＭ−ＣＤＭＡ信号が形成され、このＯＦＤＭ−ＣＤＭＡ信号がディジタルアナログ変換処理や信号増幅等の無線送信処理を行う無線送信部（ＲＦ）１０及びアンテナＡＮを介して送信される。
【０００７】
次にＯＦＤＭ−ＣＤＭＡ通信装置１の受信系３について説明する。ＯＦＤＭ−ＣＤＭＡ通信装置１は、同様の構成でなるＯＦＤＭ−ＣＤＭＡ通信装置から送信されたＯＦＤＭ−ＣＤＭＡ信号をアンテナＡＮ及びアナログディジタル変換処理等の無線受信処理を行う無線受信部（ＲＦ）１１を介して高速フーリエ変換回路（ＦＦＴ）６に入力する。ＦＦＴ６は入力信号に対して高速フーリエ変換処理を施すことにより、それぞれのサブキャリアにより伝送された符号分割多重信号を得る。
【０００８】
伝搬路補償回路７は、信号中に含まれる伝搬路推定用プリアンブル等の既知信号に基づいて伝搬路で生じた位相変動等を補償する。伝搬路補償後の信号は逆拡散器８により逆拡散されることにより、複数の送信信号の中から自局宛の受信信号が抽出される。
【０００９】
図１２に、従来のＯＦＤＭ−ＣＤＭＡ通信装置１により形成されるＯＦＤＭ−ＣＤＭＡ信号の信号配置を示す。ここで、送信信号数を５ｋとし、拡散比をｍとすると、サブキャリア数は拡散比ｍと同じ数だけ必要となる。各サブキャリアには、次の信号が配置される。すなわち、１番目のサブキャリア♯１には送信信号１〜ｋを多重した信号のうち１番目の拡散信号（チップ）が配置され、２番目のサブキャリアには送信信号１〜ｋを多重した信号のうち２番目の拡散信号（チップ）が配置され、………、５ｍ番目のサブキャリア♯５ｍには送信信号（４ｋ＋１）〜５ｋを多重した信号のうちｍ番目の拡散信号が配置される。
【００１０】
因みに、サブキャリア数と拡散比は必ずしも一致させる必要はない。ここでは、拡散比ｍをサブキャリア数の１／５にした場合について示した（拡散比は、この場合に限定されずに、任意に設定できることはいうまでもない）。
【００１１】
【発明が解決しようとする課題】
ところで、ＣＤＭＡ方式やＯＦＤＭ−ＣＤＭＡ方式の通信装置においては、周波数利用効率を向上させるためには、信号多重数を増加させる必要がある。しかし、マルチパス等が存在する場合には拡散符号間の直交性が崩れ、誤り率が劣化する。
【００１２】
特に、信号多重数を多くするにつれて、拡散符号間の干渉が大きくなるため、誤り率特性の劣化が大きくなる。このように、従来の符号分割多重方式を用いた通信装置は、周波数利用効率と誤り率特性を両立させることが困難であるという問題があった。このことは、ＯＦＤＭ−ＣＤＭＡ方式ほどは、顕著でないもののＣＤＭＡ方式の通信装置でも当てはまる。
【００１３】
本発明はかかる点に鑑みてなされたものであり、周波数利用効率と誤り率特性を両立し得るＯＦＤＭ−ＣＤＭＡ方式及びＣＤＭＡ方式の無線送信装置及び無線送信方法を提供することを目的とする。
【００１４】
【課題を解決するための手段】
かかる課題を解決するため本発明は、以下の構成を採る。
【００１５】
本発明のＯＦＤＭ−ＣＤＭＡ送信装置は、送信シンボルを拡散する拡散手段と、各送信シンボル毎に多重数を選択する多重数選択手段と、選択された多重数で各送信シンボルの拡散信号を多重化する多重化手段と、多重化された拡散信号を複数のサブキャリアに振り分ける直交周波数分割多重手段と、を具備する構成を採る。
【００１６】
この構成によれば、多重数選択手段によって送信シンボル毎の多重数を選択したことにより、符号分割多重信号の伝送時の符号間干渉をシンボル毎に選択できるようになるので、誤り率特性の良し悪しをシンボル毎に選択できるようになる。この結果、多重数を少なくして誤り率特性を良くするシンボルを適宜選択すれば、周波数特性をそれほど落とさずに、誤り率特性を向上させることができるようになる。
【００１７】
本発明のＯＦＤＭ−ＣＤＭＡ送信装置は、各送信シンボル毎に拡散比を選択して送信シンボルを拡散する拡散手段と、各送信シンボルの拡散信号を多重化する多重化手段と、多重化された拡散信号を複数のサブキャリアに振り分ける直交周波数分割多重手段と、を具備する構成を採る。
【００１８】
この構成によれば、符号分割多重信号を形成する各拡散信号の拡散比がシンボル毎に選定されるので、誤り率特性の良し悪しをシンボル毎に選択できるようになる。この結果、拡散比を大きくして誤り率特性を良くするシンボルを適宜選択すれば、周波数特性をそれほど落とさずに、誤り率特性を向上させることができるようになる。
【００１９】
本発明のＯＦＤＭ−ＣＤＭＡ送信装置は、多重数選択手段は、特定の送信シンボルの多重数を他の送信シンボルの多重数よりも少なくする、構成を採る。
【００２０】
本発明のＯＦＤＭ−ＣＤＭＡ送信装置は、拡散手段は、特定の送信シンボルの拡散比を他の送信シンボルの拡散比よりも大きくする、構成を採る。
【００２１】
本発明のＯＦＤＭ−ＣＤＭＡ送信装置は、多重数を少なくした特定の送信シンボルには、他のデータよりも良好な回線品質が要求されるデータを配置する、構成を採る。
【００２２】
本発明のＯＦＤＭ−ＣＤＭＡ送信装置は、拡散比を大きくした特定の送信シンボルには、他のデータよりも良好な回線品質が要求されるデータを配置する、構成を採る。
【００２３】
これらの構成によれば、特定シンボルとして制御情報や再送情報のように他のデータより良好な回線品質が要求されるデータが配置されたシンボルを選択すれば、周波数利用特性をそれほど落とさずに、有効にシステム全体の誤り率特性を向上させることができるようになる。
【００２４】
本発明のＯＦＤＭ−ＣＤＭＡ送信装置は、多重数を少なくした特定シンボルを、フレームの先頭に配置する、構成を採る。
【００２５】
本発明のＯＦＤＭ−ＣＤＭＡ送信装置は、拡散比を大きくした特定シンボルを、フレームの先頭に配置する、構成を採る。
【００２６】
これらの構成によれば、受信側でフレームの先頭の特定シンボルに基づいてフレーム同期を行う場合に、フレーム同期用の特定シンボルが品質良く伝送されるようになるので、通信相手がフレーム同期処理を精度良く行うことができるようになる。
【００２７】
本発明のＯＦＤＭ−ＣＤＭＡ送信装置は、多重数選択手段は、再送回数が多くなるにしたがって、再送シンボルについての多重数を少なくする、構成を採る。
【００２８】
本発明のＯＦＤＭ−ＣＤＭＡ送信装置は、拡散手段は、再送回数が多くなるにしたがって、再送シンボルについての拡散比を大きくする、構成を採る。
【００２９】
これら構成によれば、周波数利用効率（全体的な伝送データ量）の低下を抑制した状態で、再送回数が多くなることを防ぐことができるようになる。この結果、実質的な伝送データ量を増加させることができる。
【００３０】
本発明のＯＦＤＭ−ＣＤＭＡ送信装置は、多重数を少なくした特定シンボルの変調多値数を他の送信シンボルの変調多値数よりも小さくする、構成を採る。
【００３１】
本発明のＯＦＤＭ−ＣＤＭＡ送信装置は、拡散比を大きくした特定シンボルの変調多値数を他の送信シンボルの変調多値数よりも小さくする、構成を採る。
【００３２】
これらの構成によれば、周波数利用効率をあまり低下させずに、特定シンボルの誤り率特性を一段と向上させることができるようになる。
【００３３】
本発明のＯＦＤＭ−ＣＤＭＡ送信装置は、多重数を少なくした特定シンボルを、周期的に挿入する、構成を採る。
【００３４】
本発明のＯＦＤＭ−ＣＤＭＡ送信装置は、拡散比を大きくした特定シンボルを、周期的に挿入する、構成を採る。
【００３５】
本発明のＯＦＤＭ−ＣＤＭＡ受信装置は、上記ＯＦＤＭ−ＣＤＭＡ送信装置から送信された信号を受信して復調するＯＦＤＭ−ＣＤＭＡ受信装置であって、周期的に挿入した多重数を少なくした特定シンボルを用いて、伝搬路推定結果の更新を行う、構成を採る。
【００３６】
本発明のＯＦＤＭ−ＣＤＭＡ受信装置は、上記ＯＦＤＭ−ＣＤＭＡ送信装置から送信された信号を受信して復調するＯＦＤＭ−ＣＤＭＡ受信装置であって、前記周期的に挿入した拡散比を大きくした特定シンボルを用いて、伝搬路推定結果の更新を行う、構成を採る。
【００３７】
これらの構成によれば、特定信号を周期的に送信信号に挿入し、この特定シンボルを伝搬路推定用のプリアンブルとして用いれば、伝搬路推定用プリアンブルの符号多重数が少なくされ、又は拡散比が大きくされているので、伝搬路推定用プリアンブルを品質良く伝送できる。この結果、伝搬路推定用プリアンブルを用いて高精度の伝搬路推定を行うことができるようになる。
【００３８】
本発明のＯＦＤＭ−ＣＤＭＡ送信装置は、多重数を少なくした特定シンボルの多重数を「１」とする、構成を採る。
【００３９】
この構成によれば、多重数が「１」とされた特定シンボルは符号間干渉を全く受けずに伝送されることになる。従って、特定シンボルの中でも特に重要なシンボルについては多重数を「１」に選定して送信すれば、特に重要なシンボルの誤り率特性を一段と向上させることができる。
【００４０】
本発明のＯＦＤＭ−ＣＤＭＡ送信装置は、拡散手段は、多重数が少なくされた特定シンボルの拡散率を「１」とする、構成を採る。
【００４１】
この構成によれば、拡散比を「１」にするということは、拡散しないことを意味するので、特定シンボルを高速伝送できるようになる。従って、特定シンボルを高品質かつ高速で伝送できる。
【００４２】
本発明のＯＦＤＭ−ＣＤＭＡ送信装置は、直交周波数分割多重手段は、多重数を少なくした、又は拡散比を大きくした特定シンボルのチップを、時間軸方向にのみ振り分ける、構成を採る。
【００４３】
この構成によれば、例えば周波数選択性フェージングにより受信レベルの低下の少ないサブキャリアを検出し、このようなサブキャリアを選んで時間方向の拡散すれば、一段と特定シンボルの誤り率特性を向上させることができるようになる。特にフェージングの時間変動が少ない場合に好適である。
【００４４】
本発明のＣＤＭＡ送信装置は、送信シンボルを拡散する拡散手段と、各送信シンボル毎に多重数を選択する多重数選択手段と、選択された多重数で各送信シンボルの拡散信号を多重化する多重化手段と、を具備する構成を採る。
【００４５】
本発明のＣＤＭＡ送信装置は、各送信シンボル毎に拡散比を選択して送信シンボルを拡散する拡散手段と、各送信シンボルの拡散信号を多重化する多重化手段と、を具備する構成を採る。
【００４６】
本発明のＣＤＭＡ送信装置は、多重数選択手段は、特定の送信シンボルの多重数を他の送信シンボルの多重数よりも少なくする、構成を採る。
【００４７】
本発明のＣＤＭＡ送信装置は、拡散手段は、特定の送信シンボルの拡散比を他の送信シンボルの拡散比よりも大きくする、構成を採る。
【００４８】
本発明のＣＤＭＡ送信装置は、多重数選択手段は、再送回数が多くなるにしたがって、再送シンボルについての多重数を少なくする、構成を採る。
【００４９】
本発明のＣＤＭＡ送信装置は、拡散手段は、再送回数が多くなるにしたがって、再送シンボルについての拡散比を大きくする、構成を採る。
【００５０】
【発明の実施の形態】
本発明の第１の骨子は、ＯＦＤＭ−ＣＤＭＡ方式やＣＤＭＡ方式で送信シンボルを符号分割多重して送信する場合に、各シンボル毎に多重数（すなわち符号多重数）を選択するようにしたことである。
【００５１】
また本発明の第２の骨子は、ＯＦＤＭ−ＣＤＭＡ方式やＣＤＭＡ方式で送信シンボルを符号分割多重して送信する場合に、各シンボル毎に拡散比を選択するようにしたことである。
【００５２】
これにより、特定のシンボルの符号多重数を少なくしあるいは拡散比を大きくすれば、周波数利用効率をそれほど低下させずに、そのシンボルの誤り率特性を向上させることができる。また上記特定のシンボルとして、制御情報や再送情報のように他のデータより良好な回線品質が要求されるデータが配置されたシンボルを選択することにより、システム全体の誤り率特性を一段と向上させることができるようになる。
【００５３】
以下、本発明の実施の形態について図面を参照して詳細に説明する。
【００５４】
（実施の形態１）
図１に、本発明による実施の形態１に係るＯＦＤＭ−ＣＤＭＡ送信装置の概略構成を示す。ＯＦＤＭ−ＣＤＭＡ送信装置１００は、複数の送信信号１〜５ｋをそれぞれ異なる拡散符号を用いて符号分割多重すると共に、符号分割多重した拡散信号を互いに直交する複数のサブキャリアに振り分けることにより、ＯＦＤＭ−ＣＤＭＡ方式の送信を行うようになっている。
【００５５】
ＯＦＤＭ−ＣＤＭＡ送信装置１００は、複数の送信信号１〜ｋ、………、（４ｋ＋１）〜５ｋをバッファＺ１〜Ｚ（５ｋ）を介して、それぞれ異なる拡散符号を用いてチップ単位に拡散する拡散器Ａ１〜Ａ（５ｋ）に入力する。拡散後の信号は、複数系統ずつまとめて選択部Ｂ１、………、Ｂ５に入力される。具体的には、送信信号１〜ｋについてのｋ個の拡散信号が選択部Ｂ１に入力され、………、送信信号（４ｋ＋１）〜５ｋについてのｋ個の拡散信号が選択部Ｂ５に入力される。因みに、各送信信号１〜ｋ、………、（４ｋ＋１）〜５ｋは、それぞれ図示しない変調部によりＱＰＳＫ（Ｑｕａｄｒａｔｕｒｅ　Ｐｈａｓｅ　Ｓｈｉｆｔ　Ｋｅｙｉｎｇ）変調処理や１６値ＱＡＭ変調処理が施されたシンボルとされた信号である。
【００５６】
選択部Ｂ１〜Ｂ５は、各送信シンボル毎に多重数を選択する多重数選択手段としての機能を有する。この実施の形態の場合、選択部Ｂ１〜Ｂ５は、回線状態検出部１１１からの情報に基づいて多重数を選択する。具体的には、各ユーザから送られてくる回線状態をアンテナＡＮ及び受信無線部（ＲＦ）１１０を介して回線状態検出部１１１で検出し、各ユーザの回線状態に応じてユーザ毎に多重数を選択する。
【００５７】
例えば送信信号１〜ｋの多重数を選択する選択部Ｂ１では、送信信号１を送るユーザの回線状態が悪い場合には、ｋ個の送信信号１〜ｋを全て選択するのではなく、送信信号１を含むｎ個（ｎ＜ｋ）の送信信号を選択して出力する。
【００５８】
各加算器Ｃ１〜Ｃ５は、選択部Ｂ１〜Ｂ５により選択された拡散後のシンボルを多重することにより、符号分割多重信号を形成する。
【００５９】
加算器Ｃ１〜Ｃ５から出力された符号分割多重信号は、パラレルシリアル変換部（Ｐ／Ｓ）１０１によりパラレルシリアル変換された後、逆高速フーリエ変換部（ＩＦＦＴ）１０２により逆高速フーリエ変換されることにより直交周波数分割多重される。これにより拡散後のチップが互いに直交関係にある複数サブキャリアに振り分けられたＯＦＤＭ−ＣＤＭＡ信号が形成され、このＯＦＤＭ−ＣＤＭＡ信号がディジタルアナログ変換処理や信号増幅等の無線送信処理を行う無線送信部（ＲＦ）１０３及びアンテナＡＮを介して送信される。
【００６０】
図２に、ＯＦＤＭ−ＣＤＭＡ送信装置１００によって送信されるＯＦＤＭ−ＣＤＭＡ信号のフレームフォーマットを示す。ＯＦＤＭ−ＣＤＭＡ送信装置１００は、拡散比をサブキャリア数の１／５にし、全サブキャリアを５つのサブキャリアグループ＃１〜＃ｍ、＃ｍ＋１〜＃２ｍ、＃２ｍ＋１〜＃３ｍ、＃３ｍ＋１〜＃４ｍ、＃４ｍ＋１〜＃５ｍに分ける。各サブキャリアグループには、各加算器Ｃ１〜Ｃ５により得られた符号分割多重信号が配置される。
【００６１】
例えばサブキャリアグループ＃１〜＃ｍには加算器Ｃ１により得られた符号分割多重信号が周波数軸方向のサブキャリアに振り分けられて配置され、サブキャリアグループ＃４ｍ＋１〜＃５ｍには加算器Ｃ５により得られた符号分割多重信号が周波数軸方向のサブキャリアに振り分けられて配置される。
【００６２】
ここでＯＦＤＭ−ＣＤＭＡ送信装置１００は、図２からも明らかなように、時点ｔ１〜ｔ２の１バースト期間では送信信号の多重数を少なくした送信を行うようになっており（多重数ｎ＜ｋ）、時点ｔ２〜時点ｔ３や時点ｔ３〜時点ｔ４の１バースト期間では送信信号の多重数を多くした送信を行うようになっている（多重数ｋ）。
【００６３】
すなわち、時点ｔ１〜ｔ２の１バースト期間では、回線状態の悪いユーザのシンボルに対する多重数を減らして送信を行うようになっている。このようにこの実施の形態では、回線状態の悪いユーザの信号（シンボル）は多重数を少なくして送信するようになっている。
【００６４】
以上の構成において、ＯＦＤＭ−ＣＤＭＡ送信装置１００は、回線状態検出部１１１により各ユーザとの間の回線状態を検出し、これを選択部Ｂ１〜Ｂ５に送出する。選択部Ｂ１〜Ｂ５では、回線状態の悪いユーザ宛のシンボルについては多重数が少なくなるようにする。このように多重数が適宜選定された符号分割多重信号は、直交周波数分割多重手段としてのＩＦＦＴ１０２により、互いに直交する複数のサブキャリアに振り分けられて（つまり複数のサブキャリアに周波数軸拡散されるように配置されて）、ＯＦＤＭ−ＣＤＭＡ信号とされる。
【００６５】
この結果、多重数が少なくされた信号に関しては、マルチパスフェージング等に起因して拡散符号間の直交性が崩れても、拡散符号間干渉が小さくなるため、誤り率特性の劣化が抑制される。また全ての送信信号の多重数を少なくしているのではなく、回線状態の悪い特定の送信信号（シンボル）のみの多重数を少なくしているので、多重数を少なくすることによる周波数利用効率の低下は少ない。
【００６６】
かくして以上の構成によれば、回線状態の悪いユーザに送信するシンボルの多重数を少なくしたことにより、周波数利用効率と誤り率特性を両立し得るＯＦＤＭ−ＣＤＭＡ送信装置１００を実現できる。
【００６７】
なおこの実施の形態においては、回線状態の悪いユーザに送信するシンボルの多重数を少なくした場合について述べたが、本発明はこれに限らず、特定の送信シンボルの多重数を他の送信シンボルの多重数よりも少なくする場合に広く適用できる。
【００６８】
例えば制御情報や再送情報を示すシンボルの多重数を少なくすれば、全体的な周波数利用効率をそれほど落とさずに、全体での誤り率特性や伝送効率に大きな影響を及ぼす情報の誤り率特性を向上させることができるようになる。つまり、信号多重数を少なくするシンボルとしては、他のシンボルよりも良好な品質が求められるシンボルを選定すると好適である。これを実現するためには、例えば図３に示すＯＦＤＭ−ＣＤＭＡ送信装置１５０のように、制御部１５１からの特定シンボルを指定する制御信号に基づいて、選択部Ｂ１〜Ｂ５において特定のシンボルの多重数を少なくすればよい。
【００６９】
またこの実施の形態では、拡散比をサブキャリア数の１／５にした場合について述べたが、１／５に限定されずに、任意に設定できることはいうまでもない。また各サブキャリアグループの拡散比も必ずしも同一にする必要はなく、任意に設定できることはいうまでもない。さらに実施の形態のようにサブキャリアをグループ分けする場合に限らず、全てのサブキャリアに拡散信号を配置するようにしてもよい。
【００７０】
また図２では、あるバースト期間（時点ｔ１〜ｔ２）に全てのサブキャリアグループでの信号多重数（ｎ＜ｋ）を少なくした場合を示したが、本発明はこれに限らず、要は特定のシンボルの多重数のみを適宜少なくすればよいのであって、図２に示すようなフレームフォーマットに限らない。
【００７１】
さらに特定のシンボルの多重数を少なくする方法をＯＦＤＭ−ＣＤＭＡ方式の送信を行う無線送信装置に適用した場合について述べたが、ＤＳ−ＣＤＭＡ（直接拡散ＣＤＭＡ）方式の送信を行う無線送信装置に適用しても効果を得ることができる。但し、ＤＳ−ＣＤＭＡは１キャリアのみを使用し、拡散された信号を時間軸方向のみに配置する。ここでマルチパスフェージングの影響により受信レベルが落ち込んでいる場合には、拡散符号の全チップの受信レベルが落ち込むため、ＯＦＤＭ−ＣＤＭＡ方式と比較すると、符号多重数を少なくしたことによる誤り率特性の改善効果は低い。
【００７２】
つまり、ＯＦＤＭ−ＣＤＭＡ方式では、周波数方向に拡散した信号を配置するため、拡散符号の全チップの受信レベルが落ち込むわけではないため、周波数ダイバーシチ効果が得られる。したがって、マルチパス環境下においても、誤り率の改善効果が大きくなる。この点が、ＤＳ−ＣＤＭＡの場合と異なる点である。
【００７３】
よって、特定のシンボルの多重数を他のシンボルの多重数よりも小さくするといった本実施の形態の方法は、ＤＳ−ＣＤＭＡ方式に適用した場合も効果があるが、ＯＦＤＭ−ＣＤＭＡ方式に適用した場合には一段と顕著な効果が現れる。
【００７４】
（実施の形態２）
この実施の形態では、特定のシンボルの拡散比を他のシンボルの拡散比よりも大きくすることを提案する。これにより、特定のシンボルを受信側で逆拡散したときの品質を他のシンボルよりも良くすることができるようになる。また拡散比を大きくすると周波数利用効率は低下するが、特定のシンボルのみ拡散比を大きくするので、周波数利用効率をそれほど落とさずに済む。
【００７５】
拡散比を大きくするシンボルとしては、実施の形態１で多重数を少なくしたシンボルと同じく、回線状態の悪いユーザに送信するシンボルや、制御情報や再送情報を示すシンボル等の他のシンボルよりも良好な品質が求められるシンボルを選定すると好適である。
【００７６】
図４に、この実施の形態のＯＦＤＭ−ＣＤＭＡ送信装置の概略構成を示す。図１との対応部分に同一符号を付して示す図４において、ＯＦＤＭ−ＣＤＭＡ送信装置２００は、再送信号１〜ｎの拡散比を他の送信信号の拡散比よりも大きくするようになっている。つまり、再送信号１〜ｎを拡散するための拡散部Ａ（５ｋ＋１）〜Ａ（５ｋ＋ｎ）では、他の拡散部Ａ１〜Ａ（５ｋ）よりも大きな拡散比の拡散符号を用いて再送信号１〜ｎを拡散するようになっている。拡散後の信号は、加算器Ｃ６により多重された後、パラレルシリアル変換部（Ｐ／Ｓ）２０１に入力される。
【００７７】
実際上、ＯＦＤＭ−ＣＤＭＡ送信装置２００のパラレルシリアル変換部２０１には、実施の形態１で説明したＯＦＤＭ−ＣＤＭＡ送信装置１００のパラレルシリアル変換部１０１よりも、加算部Ｃ１〜Ｃ６が１つ多い分だけ１系統分だけ多くの符号分割多重信号が入力され、かつこの符号分割多重信号は拡散比が他の系統の符号分割多重信号よりも大きいのでチップレートが高くなっている。
【００７８】
ここで、拡散比を大きくした拡散信号を周波数軸方向にのみ配置する場合は、拡散シンボルの周波数帯域は大きくなる。これを回避するためには、拡散信号を割り当てるサブキャリアグループを変える方法や、拡散信号を周波数方向のサブキャリアと時間方向のサブキャリアの両方に配置する方法（いわゆる二次元拡散）を用いればよい。
【００７９】
サブキャリアグループを変える方法では、例えば再送信号１〜ｎの拡散比を他の送信信号１〜５ｋの２倍に設定したとすると、同数の送信信号に対して１グーループ分のサブキャリアを対応させるのに対して、２グループ分のサブキャリアを対応させればよい。符号分割信号とサブキャリアグループとの対応付けは、パラレルシリアル変換部（Ｐ／Ｓ）２０１において、各加算器Ｃ１〜Ｃ６により得られた符号分割多重信号をどのような順番で逆フーリエ変換部（ＩＦＦＴ）１０２に出力するかを適宜設定すれば実現できる。
【００８０】
次に２次元拡散について、図６を用いて説明する。図６では説明を簡単化するため、時点ｔ１〜時点ｔ２、時点ｔ２〜時点ｔ３の２バースト期間において、送信信号１〜５ｋを全て再送するものと想定する。すなわち再送信号１〜５ｎを初回送信時の２倍の拡散比で再送するものと想定する。このとき各再送信号１〜５ｎの１チップ〜ｍチップは時点ｔ１〜時点ｔ２のバースト期間で送信し、ｍ＋１チップ〜２ｍチップは時点ｔ２〜時点ｔ３のバースト期間で送信する。このように、拡散信号を周波数方向と時間方向に二次元拡散して送信することにより、拡散比を大きくしても周波数帯域を広げることなく、所望数のシンボルを送信することができるようになる。
【００８１】
図５に、ＯＦＤＭ−ＣＤＭＡ送信装置２００から送信されたＯＦＤＭ−ＣＤＭＡ信号を受信復調するＯＦＤＭ−ＣＤＭＡ受信装置３００の構成を示す。ＯＦＤＭ−ＣＤＭＡ受信装置３００は、ＯＦＤＭ−ＣＤＭＡ送信装置２００から送信されたＯＦＤＭ−ＣＤＭＡ信号をアンテナＡＮ及びアナログディジタル変換処理等の無線受信処理を行う無線受信部（ＲＦ）３０１を介して高速フーリエ変換部（ＦＦＴ）３０２に入力する。ＦＦＴ３０２は入力信号に対して高速フーリエ変換処理を施すことにより、各サブキャリアにより伝送された符号分割多重信号を得る。
【００８２】
伝搬路補償部３０３は、信号中に含まれる伝搬路推定用プリアンブル等の既知信号に基づいて伝搬路で生じた位相変動等を補償する。伝搬路補償後の信号は、それぞれタップ数の異なる逆拡散部３０４、３０５に入力される。この実施の形態の場合、再送信号の拡散比が通常の送信信号の２倍とされているので、再送信号を逆拡散するための逆拡散部３０５のタップ数が通常の送信信号を逆拡散する逆拡散部３０４の２倍となっている。これにより、通常の送信信号及び再送信号の両方の信号を復元できるようになる。
【００８３】
以上の構成によれば、回線状態の悪いユーザに送信するシンボルや、制御情報や再送情報を示すシンボル等の他のシンボルよりも良好な品質が求められるシンボルの拡散比を他のシンボルの拡散比よりも大きくしたことにより、周波数利用効率と誤り率特性を両立し得るＯＦＤＭ−ＣＤＭＡ送信装置２００を実現できる。
【００８４】
なおこの実施の形態では、特定のシンボルの拡散比を大きくする方法をＯＦＤＭ−ＣＤＭＡ方式の送信を行う無線送信装置に適用した場合について述べたが、ＤＳ−ＣＤＭＡ（直接拡散ＣＤＭＡ）方式の送信を行う無線送信装置に適用しても効果を得ることができる。但し、ＯＦＤＭ−ＣＤＭＡ方式とＤＳ−ＣＤＭＡ方式では、実施の形態１の最後に説明した差異に加えて、拡散比を大きくした場合にも差異がある。
【００８５】
つまり、ＤＳ−ＣＤＭＡでは、特定のシンボルの拡散比を大きくを設定すると、１シンボルの周期が長くなるため、周波数オフセットやフェージング等の時間変動に対する誤り率特性劣化が比較的大きくなる。これに対して、ＯＦＤＭ−ＣＤＭＡでは、拡散した信号を周波数方向に配置するため、周波数オフセットやフェージング等の時間変動に対する誤り率特性劣化は大きくならない。よって、特定のシンボルの拡散比を他のシンボルの拡散比よりも大きくするといった本実施の形態の方法は、ＤＳ−ＣＤＭＡ方式に適用した場合も効果があるが、ＯＦＤＭ−ＣＤＭＡ方式に適用した場合には一段と顕著な効果が現れる。
【００８６】
（実施の形態３）
この実施の形態では、セル識別のための既知信号を送信する場合に、当該既知信号の信号多重数を少なくあるいは拡散比を大きくすることを提案する。これにより、セル識別のための既知信号を品質良く伝送できるので、通信相手がセルを誤認識する確率を低減させることができるようになる。
【００８７】
ＯＦＤＭ−ＣＤＭＡ方式やＤＳ−ＣＤＭＡ方式で送信を行う無線基地局においては、送信信号にセル識別のための既知信号を含めて送信することで、送信相手局である通信端末に自局の属するセルを認識させるようになされている。つまり、無線基地局が各セルに対応した既知信号を送信し、通信端末が受信した基地信号の種類を識別することで、セル識別が可能となる。この実施の形態は、周波数利用効率を低下させることなく、セル識別特性を向上させようとするものである。
【００８８】
図７に、この実施の形態のＯＦＤＭ−ＣＤＭＡ送信装置４００の構成を示す。図４との対応部分に同一符号を付して示す図７において、ＯＦＤＭ−ＣＤＭＡ送信装置４００は、セル識別のための既知信号を拡散部Ａ（５ｋ＋ｎ＋１）に入力させる。拡散部Ａ（５ｋ＋ｎ＋１）の拡散比は、再送信号１〜ｎを拡散する拡散部Ａ（５ｋ＋１）〜Ａ（５ｋ＋ｎ）と同様に、他の送信信号１〜５ｋに対する拡散比よりも大きく設定されている。これにより、セル識別のための既知信号の受信側での誤り率特性を改善することができる。
【００８９】
加えて、ＯＦＤＭ−ＣＤＭＡ送信装置４００は、加算器Ｃ６により多重される多重数が、他の加算器Ｃ１〜Ｃ５により多重される多重数と比較して少なくされている。すなわち、加算器Ｃ６に入力される再送信号１〜ｎに既知信号を合わせた数（ｎ＋１）が、他の加算器Ｃ１〜Ｃ５に入力される送信信号１〜ｋ、………、４ｋ＋１〜５ｋの数ｋよりも少なくされている。これにより、既知信号及び再送信号の誤り率特性が一段と改善されるようになる。
【００９０】
かくして以上の構成によれば、セル識別のための既知信号の信号多重数を他の送信信号の多重数に比して少なくし、及び又は、拡散比を大きくするようにしたことにより、周波数利用効率をそれほど低下させることなく、通信端末にセル識別を正確に行わせることができるＯＦＤＭ−ＣＤＭＡ送信装置４００を実現できる。
【００９１】
なおこの実施の形態では、セル識別のための既知信号の信号多重数を他の送信信号の多重数に比して少なくすると共に、拡散比を大きくするようにした場合について説明したが、本発明はこれに限らず、信号多重数のみを少なくしあるいは拡散比のみを大きくするようにしてもよい。
【００９２】
（実施の形態４）
この実施の形態では、フレームの先頭にフレーム同期用の既知信号を配置して送信する場合に、当該既知信号の信号多重数を少なくし、及び又は、拡散比を大きくすることを提案する。これにより、フレーム同期用の既知信号を品質良く伝送できるので、通信相手がフレーム同期処理を精度良く行うことができるようになる。
【００９３】
ＯＦＤＭ−ＣＤＭＡ方式やＤＳ−ＣＤＭＡ方式で送信を行う無線基地局においては、送信フレームの先頭にフレーム同期用の既知信号を配置して送信する場合がある。そして通信端末では、この既知信号を検出することでフレーム同期を行うようになっている。この実施の形態は、周波数利用効率を低下させることなく、フレーム同期の精度を向上させようとするものである。
【００９４】
図８に、この実施の形態のＯＦＤＭ−ＣＤＭＡ送信装置の概略構成を示す。図４との対応部分に同一符号を付して示す図８において、ＯＦＤＭ−ＣＤＭＡ送信装置５００は、フレーム同期のための既知信号を拡散部Ａ（５ｋ＋ｎ＋１）に入力させる。拡散部Ａ（５ｋ＋ｎ＋１）の拡散比は、再送信号１〜ｎを拡散する拡散部Ａ（５ｋ＋１）〜Ａ（５ｋ＋ｎ）と同様に、他の送信信号１〜５ｋの拡散比よりも大きく設定されている。これにより、フレーム同期のための既知信号の受信側での誤り率特性を改善することができる。
【００９５】
加えて、ＯＦＤＭ−ＣＤＭＡ送信装置５００は、加算器Ｃ６により多重される多重数が、他の加算器Ｃ１〜Ｃ５により多重される多重数と比較して少なくされている。すなわち、加算器Ｃ６に入力される再送信号１〜ｎに既知信号を合わせた数（ｎ＋１）が、他の加算器Ｃ１〜Ｃ５に入力される送信信号１〜ｋ、………、４ｋ＋１〜５ｋの数ｋよりも少なくされている。これにより、フレーム同期のための既知信号及び再送信号の誤り率特性が一段と改善されるようになる。
【００９６】
ここでパラレルシリアル変換部（Ｐ／Ｓ）２０１には、各加算器により得られた符号分割多重信号に加えて、図示しない制御部からのフレームの先頭を示す信号が入力される。パラレルシリアル変換部２０１は、フレームの先頭を示す信号が入力されたタイミングで加算器Ｃ６から入力された符号分割多重信号を出力する。これにより、符号分割多重された既知信号をＯＦＤＭ−ＣＤＭＡ信号のフレームの先頭に配置することができる。
【００９７】
以上の構成によれば、フレーム同期のための既知信号の信号多重数を他の送信信号の多重数に比して少なくすると共に拡散比を大きくするようにしたことにより、周波数利用効率をそれほど低下させることなく、通信端末のフレーム同期精度を向上させることができるＯＦＤＭ−ＣＤＭＡ送信装置５００を実現できる。
【００９８】
なおこの実施の形態では、フレーム同期のための既知信号の信号多重数を他の送信信号の多重数に比して少なくすると共に、拡散比を大きくするようにした場合について説明したが、本発明はこれに限らず、信号多重数のみを少なくしあるいは拡散比のみを大きくするようにしてもよい。
【００９９】
（実施の形態５）
この実施の形態では、再送回数が多くなるにしたがって、再送信号の多重数を少なく、及び又は、拡散比を大きくすることを提案する。これにより、周波数利用効率の低下を抑制した状態で、再送回数が多くなることを防ぐことができるようになる。
【０１００】
ここで、再送してもまだ誤りが存在する場合は、さらに再送を行う必要があり、再送による品質の改善が悪いと再送回数が非常に多くなる場合がある。再送回数が多くなるということは、データを送信してから受信するまでの遅延が大きくなるということになる。つまり、時間当たりに伝送するデータ量が少なくなり、伝送効率が悪くなる。
【０１０１】
この実施の形態では、これを考慮して、再送回数が多くなるにしたがって、符号多重数を少なくするあるいは拡散比を大きくすることにより、再送回数が増えるにつれて誤り率特性の改善効果を高める。これにより、再送回数が多くなることを防ぐことができる。
【０１０２】
因みに、再送回数が少ないときから符号多重数を少なくしたり拡散比を大きくする場合と比較して、無駄に伝送データ量を減らすことなく、有効に再送回数を減らすことができるようになる。何故なら、回線品質によっては再送時に符号多重数を急に少なくしたり、拡散比を急に大きくしたりしなくても誤りが発生しないこともある。このような場合に、再送要求があったからといって再送信号の符号多重数を無用に少なくしたり、拡散比を無用に大きくすると伝送データ量が低下してしまうので、再送回数が多くなるにしたがって、符号多重数を少なくするあるいは拡散比を大きくすることで、伝送データ量の低下を抑制して、再送回数を有効に低減できるようになされている。
【０１０３】
図９に、この実施の形態のＯＦＤＭ−ＣＤＭＡ送信装置の概略構成を示す。図１との対応部分に同一符号を付して示す図９において、ＯＦＤＭ−ＣＤＭＡ送信装置６００は、送信信号の多重数を選択する選択部Ｂ１〜Ｂ５に再送回数を示す情報を入力する。この再送回数を示す情報は、図示しない制御部から出力される。
【０１０４】
選択部Ｂ１〜Ｂ５は、再送回数を示す情報に基づいて、入力される拡散後の送信信号の中に再送回数が多い信号が含まれている場合には、その信号の再送回数に応じてその信号に多重する多重数を少なくするようになっている。
【０１０５】
具体的に説明する。例えば送信信号１〜ｋ全てが初回送信の場合には、選択部Ｂ１は入力された全ての送信信号１〜ｋを選択して出力する。これにより、加算器Ｃ１では、信号多重数がｋの符号分割多重信号が得られる。これに対して、例えば送信信号１が再送回数が１回目の再送信号であった場合には、選択部Ｂ１は入力された送信信号１〜ｋのうち、送信信号１を含む（ｋ−１）個の送信信号を選択して出力する。これにより、加算器Ｃ１では、１回目の再送信号である送信信号１を含む信号多重数が（ｋ−１）の符号分割多重信号が得られる。
【０１０６】
また例えば送信信号１が再送回数が２回目の再送信号であった場合には、選択部Ｂ１は入力された送信信号１〜ｋのうち、送信信号１を含む（ｋ−２）個の送信信号を選択して出力する。これにより、加算器Ｃ１では、２回目の再送信号である送信信号１を含む信号多重数が（ｋ−２）の符号分割多重信号が得られる。
【０１０７】
ここで信号多重数が少なければ少ないほど、符号分割多重信号の符号間干渉は少なくなるので、再送回数の多い再送信号ほど品質の良い状態で伝送することができるようになる。
【０１０８】
以上の構成によれば、再送回数が多くなるにしたがって、再送信号についての信号多重数を少なくするようにしたことにより、周波数利用効率の低下を最小限に抑えた状態で、再送回数を少なくすることができる。この結果、周波数利用効率と誤り率特性を両立し得るＯＦＤＭ−ＣＤＭＡ送信装置６００を実現できる。
【０１０９】
なお図９では、再送回数が多くなるにしたがって、再送信号についての信号多重数を少なくする構成について説明したが、再送回数を示す情報にしたがって、再送回数の多い再送信号ほど拡散比を大きくするようにしても同様の効果を得ることができる。
【０１１０】
（実施の形態６）
実施の形態５では、再送回数が多くなるにしたがって、再送信号の多重数を少なくし、及び又は、拡散比を大きくする方法をＯＦＤＭ−ＣＤＭＡ方式の無線送信装置に適用した場合について述べたが、この実施の形態では、この方法をＤＳ−ＣＤＭＡ方式の無線送信装置に適用することを提案する。
【０１１１】
上述したように、ＯＦＤＭ−ＣＤＭＡ方式は、周波数方向に拡散した信号を配置するため、拡散符号の全チップの受信レベルが落ち込むわけではないため、周波数ダイバーシチ効果が得られる。したがって、マルチパス環境下においても、誤り率の改善効果が大きくなる。しかし、ＯＦＤＭ−ＣＤＭＡ方式はマルチキャリア伝送であるため、ピーク電力が大きくなり、装置全体の消費電力が大きくなる欠点がある。
【０１１２】
それに対して、ＤＳ−ＣＤＭＡ方式はＯＦＤＭ−ＣＤＭＡ方式に比べると、ピーク電力を低く抑えることができるため、装置全体の消費電力を低く抑えることができる。したがって、装置全体の消費電力を低く抑えるという点を考えると、ＤＳ−ＣＤＭＡ方式の方が有利である。この点を考慮して、この実施の形態では、本発明をＤＳ−ＣＤＭＡ方式の無線送信装置に適用する。
【０１１３】
図１０に、この実施の形態のＣＤＭＡ送信装置の概略構成を示す。図９との対応部分に同一符号を付して示す図１０において、ＣＤＭＡ送信装置７００はＤＳ−ＣＤＭＡ方式の送信を行うことを除いて、図９のＯＦＤＭ−ＣＤＭＡ送信装置６００と同様の構成でなる。つまり、再送回数が多くなるにしたがって、再送信号の符号多重数を少なくし、及び又は、拡散比を大きくする処理を、ＤＳ−ＣＤＭＡ方式の送信に適用した点を除けば、実施の形態５のＯＦＤＭ−ＣＤＭＡ送信装置６００と同じである。
【０１１４】
このようにすれば、周波数利用効率と誤り率特性を両立し得るＣＤＭＡ送信装置７００を実現できる。
【０１１５】
また再送回数が多くなるにしたがって、再送信号の符号多重数を少なくし、及び又は、拡散比を大きくする処理を、高速下りチャネルを用いてデータを送信するＨＳＤＰＡ（Ｈｉｇｈ　Ｓｐｅｅｄ　Ｄｏｗｎｌｉｎｋ　Ｐａｃｋｅｔ　Ａｃｃｅｓｓ）方式の無線送信装置に用いれば、周波数利用効率をあまり落とさずに、再送回数を有効に低減できるようになる。
【０１１６】
（他の実施の形態）
なお上述した実施の形態では、特定のシンボルの多重数を少なく、及び又は、拡散比を大きくする場合について述べたが、本発明はこれに限らず、特定シンボルの変調多値数を他のシンボルの変調多値数よりも小さくすれば、周波数利用効率をあまり低下させずに、誤り率特性を一段と向上させることができるようになる。すなわち他のシンボルの変調処理を１６値ＱＡＭにより行うのに対して、特定シンボルの変調処理をＱＰＳＫにより行うようにすれば、ＱＰＳＫは１６値ＱＡＭよりも誤り率特性が良いので一段と誤り率特性が向上する。
【０１１７】
また上述した実施の形態では、多重数を少なくし、及び又は、拡散比を大きくする特定シンボルとして制御情報や再送情報を例にとって説明したが、本発明はこれに限らず、特定シンボルとして伝搬路推定用プリアンブルを選択するようにしてもよい。つまり、伝搬路推定用プリアンブルの符号多重数を少なくし、及び又は、拡散比を大きくして送信信号に周期的に挿入すれば、伝搬路推定用プリアンブルを品質良く伝送できるので、例えば図５に示す伝搬路補償部３０３において当該伝搬路推定用プリアンブルを用いて伝搬路推定結果を更新すれば高精度の伝搬路推定を行うことができるようになる。
【０１１８】
また本発明では、特定シンボルの多重数については他のシンボルの多重数よりも少なくすればよく、その多重数は特に限定されないが、多重数を「１」にすれば符号間干渉を全く受けずに伝送することができるようになる。すなわち特定シンボルの中でも特に重要なシンボルについては多重数を「１」に選定して送信すると良い。
【０１１９】
同様に、本発明では、特定シンボルの拡散比については、他のシンボルの拡散比よりも大きくすればよく、その拡散比の値については特に限定されないが、特定シンボルの拡散比を「１」にしてもよい。ここで拡散比を「１」にするということは、拡散しないことを意味するので、ＯＦＤＭ−ＣＤＭＡ方式の場合には特定シンボルをＯＦＤＭ方式で送信することになる。これにより、特定シンボルを高品質かつ高速で伝送できる。
【０１２０】
また上述した実施の形態では、直交周波数分割多重手段によって、多重化された拡散信号を互いに直交する複数のサブキャリアに振り分けるにあたって、周波数軸方向のサブキャリア、又は周波数軸方向及び時間軸方向のサブキャリアに振り分ける場合（二次元拡散）について述べたが、これに限らず、多重化数を少なくした特定シンボルのチップ又は拡散比を大きくした特定シンボルのチップを、時間軸方向のサブキャリアにのみ振り分けるようにしてもよい。
【０１２１】
このようにすれば、例えば周波数選択性フェージングにより受信レベルの低下の少ないサブキャリアを検出し、このようなサブキャリアを選んで時間軸方向に拡散すれば、一段と特定シンボルの誤り率特性を向上させることができるようになる。この方法は、通信端末の移動速度が小さく、フェージングの時間変動が少ない場合に好適である。
【０１２２】
【発明の効果】
以上説明したように、本発明によれば、ＯＦＤＭ−ＣＤＭＡ方式やＣＤＭＡ方式で送信シンボルを符号分割多重して送信する場合に、各シンボル毎に多重数（すなわち符号多重数）を選択し、及び又は、各シンボル毎に拡散比を選択するようにしたことにより、周波数利用効率と誤り率特性を両立し得るＯＦＤＭ−ＣＤＭＡ方式及びＣＤＭＡ方式の無線送信装置及び無線送信方法を実現することができる。
【図面の簡単な説明】
【図１】本発明の実施の形態１に係るＯＦＤＭ−ＣＤＭＡ送信装置の構成を示すブロック図
【図２】実施の形態１のＯＦＤＭ−ＣＤＭＡ送信装置により送信されるＯＦＤＭ−ＣＤＭＡ信号の信号配置例を示す図
【図３】実施の形態１のＯＦＤＭ−ＣＤＭＡ送信装置の他の構成例を示すブロック図
【図４】実施の形態２のＯＦＤＭ−ＣＤＭＡ送信装置の構成を示すブロック図
【図５】実施の形態２のＯＦＤＭ−ＣＤＭＡ受信装置の構成を示すブロック図
【図６】二次元拡散の説明に供するＯＦＤＭ−ＣＤＭＡ信号の信号配置例を示す図
【図７】実施の形態３のＯＦＤＭ−ＣＤＭＡ送信装置の構成を示すブロック図
【図８】実施の形態４のＯＦＤＭ−ＣＤＭＡ送信装置の構成を示すブロック図
【図９】実施の形態５のＯＦＤＭ−ＣＤＭＡ送信装置の構成を示すブロック図
【図１０】実施の形態６のＣＤＭＡ送信装置の構成を示すブロック図
【図１１】従来のＯＦＤＭ−ＣＤＭＡ通信装置の構成を示すブロック図
【図１２】従来のＯＦＤＭ−ＣＤＭＡ信号の信号配置例を示す図
【符号の説明】
１００、１５０、２００、４００、５００、６００　ＯＦＤＭ−ＣＤＭＡ送信装置
１０１、２０１　パラレルシリアル変換部（Ｐ／Ｓ）
１０２　逆高速フーリエ変換部（ＩＦＦＴ）
３００　ＯＦＤＭ−ＣＤＭＡ受信装置
３０２　高速フーリエ変換部（ＦＦＴ）
３０３　伝搬路補償部
３０４、３０５　逆拡散部
７００　ＣＤＭＡ送信装置
Ａ１〜Ａ（５ｋ＋ｎ＋１）　拡散部
Ｂ１〜Ｂ５　選択部
Ｃ１〜Ｃ６　加算器
【図１】
2004088269.tif 000003
【図２】
2004088269.tif 000004
【図３】
2004088269.tif 000005
【図４】
2004088269.tif 000006
【図５】
2004088269.tif 000007
【図６】
2004088269.tif 000008
【図７】
2004088269.tif 000009
【図８】
2004088269.tif 000010
【図９】
2004088269.tif 000011
【図１０】
2004088269.tif 000012
【図１１】
2004088269.tif 000013
【図１２】
2004088269.tif 000014